(57)【特許請求の範囲】
【請求項１】
温室の被覆材であるプラスチックフィルムを、押さえ部材との間に挟んで固定し、該押さえ部材と共にフィルム止め材を構成するベース部材であって、
底板部と、
該底板部の両側縁から、上端縁方向に向かうに従って互いに内方に傾斜するように立ち上げられると共に、対向する上端縁間に所定の間隔を有し、該上端縁間の間隙を通じて前記押さえ部材が挿入されるように対称的に設けられた２つの側板部と、
各一端がそれぞれ前記各側板部の内面に接合され、各他端がそれぞれ前記底板部の内面に接合されるように設けられた２つのリブと
を具備することを特徴とするフィルム止め材のベース部材。
【請求項２】
請求項１記載のフィルム止め材のベース部材であって、前記各リブの適宜位置に、上方に突出する突起部が設けられていることを特徴とするフィルム止め材のベース部材。
【請求項３】
請求項１又は２記載のフィルム止め材のベース部材であって、アルミニウムを材料として、前記底板部、側板部及びリブが一体的に成形されたものであることを特徴とするフィルム止め材のベース部材。
【発明の詳細な説明】
【０００１】
【発明の属する技術分野】
本発明は、温室の被覆材であるプラスチックフィルムを張設するために配設されるフィルム止め材に関し、より詳しくは、押さえ部材との間でプラスチックフィルムを挟持して固定し、該押さえ部材と共にフィルム止め材を構成するベース部材に関する。
【０００２】
【従来の技術】
温室の被覆材であるプラスチックフィルムを張設するに当たっては、従来、図６に示すようなフィルム止め材１００が用いられている。すなわち、所定の長さを有し、底板部１１１と、該底板部１１１の両側縁から、底板部１１１とのなす角が鋭角となるような関係をもってかつ上端縁１１２ａ，１１３ａ間に間隔が生じるように立ち上げられた２つの側板部１１２，１１３とを有するベース部材１１０と、該ベース部材１１０内に装填されるフィルムの押さえ部材であるスプリング部材１２０とを有して構成されている。
【０００３】
ベース部材１１０は、例えば、図５に示したように、温室１３０の側面１３１に沿って、天井面１３２と側面１３１との境界部付近に、上端縁１１２ａ，１１３ａ間の開口部側を外側に向けて配設される。被覆材であるプラスチックフィルムＡ，Ｂは、例えば、一方のプラスチックフィルムＡの一端縁付近をベース部材１１０の上端縁１１２ａ，１１３ａの間隙上に位置させる。次に、他方のプラスチックフィルムＢの一端縁付近をベース部材１１０上で上部用のプラスチックフィルムＡの一端縁付近に重ね合わせる。かかる状態で山形に加工したスプリング部材１２０を２つのプラスチックフィルムＡ，Ｂの重なり合った部分を押さえ付けるようにベース部材１１０の上記間隙から挿入する。その結果、該スプリング部材１２０の各山の頂部がベース部材１１０の側板部１１２，１１３内面を押圧するため２つのプラスチックフィルムＡ，Ｂの端縁付近が固定される。
【０００４】
しかしながら、上記した止め材１００は、スプリング部材１２０により、プラスチックフィルムＡ，Ｂに対して、各山の頂部だけで押さえ付けているため、擦れによりフィルム面が摩耗し、破れやすいという問題がある。特に、近年は耐候性に優れ、燃やしても有害ガスを発生せず廃棄処理が容易なことからビニルフィルムではなく、ポリオレフィン系のプラスチックフィルムが普及しているが、このポリオレフィン系のプラスチックフィルムは、ビニルフィルムと比較して特に擦れに弱いという問題がある。
【０００５】
このため、本出願人は、先に、特願平１０−１０６１２２号や特願平１０−１０６１４８号において、上端縁間に所定の間隔を有する側板部を備えたベース部材と、該側板部間に挿入される挿入部及び該挿入部に延設された突出部を有するように加工された板状部材からなり、該挿入部を前記ベース部材の側板部間に挿入することによりプラスチックフィルムを挟持する押さえ部材と、を有するプラスチックフィルムの止め材を提案している。ベース部材と押さえ部材の挿入部との間にプラスチックフィルムを挟持するため、接触面積が大きく、プラスチックフィルムの局部的な摩耗を防止できるという利点を有する。
【０００６】
【発明が解決しようとする課題】
しかしながら、図６に示したフィルム止め材１００、あるいは本出願人が上記出願により提案したいずれのフィルム止め材を使用する場合であっても、ベース部材が、底板部と、対向する２つの側板部とからなる断面略三角形の形状であるに過ぎないため、風等によってプラスチックフィルムがばたついた場合に、ベース部材の対向する側板部上端縁間が押し広げられるように変形する可能性がある。このように変形した場合には、図６に示した押さえ部材であるスプリング部材１２０及び本出願人が上記出願により提案した押さえ部材のいずれであっても、プラスチックフィルムの挟持力が低下し、結果として該押さえ部材がベース部材から外れ、プラスチックフィルムも外れてしまうおそれがある。
【０００７】
本発明は上記事情に鑑みなされたものであり、プラスチックフィルムが風等によってばたついても、上端縁間が押し広げられるように変形することを防止できるフィルム止め材のベース部材を提供することを課題とする。
【０００８】
【課題を解決するための手段】
上記した課題を達成するため、請求項１記載の本発明のフィルム止め材のベース部材は、温室の被覆材であるプラスチックフィルムを、押さえ部材との間に挟んで固定し、該押さえ部材と共にフィルム止め材を構成するベース部材であって、
底板部と、
該底板部の両側縁から、上端縁方向に向かうに従って互いに内方に傾斜するように立ち上げられると共に、対向する上端縁間に所定の間隔を有し、該上端縁間の間隙を通じて前記押さえ部材が挿入されるように対称的に設けられた２つの側板部と、
各一端がそれぞれ前記各側板部の内面に接合され、各他端がそれぞれ前記底板部の内面に接合されるように設けられた２つのリブと
を具備することを特徴とする。
【０００９】
請求項２記載の本発明のフィルム止め材のベース部材は、請求項１記載のフィルム止め材のベース部材であって、前記各リブの適宜位置に、上方に突出する突起部が設けられていることを特徴とする。
【００１０】
請求項３記載の本発明のフィルム止め材のベース部材は、請求項１又は２記載のフィルム止め材のベース部材であって、アルミニウムを材料として、前記底板部、側板部及びリブが一体的に成形されたものであることを特徴とする。
【００１１】
【発明の実施の形態】
以下、図面に示した実施の形態に基づき本発明をさらに詳細に説明する。図１及び図２は、本発明の一の実施の形態にかかるフィルム止め材のベース部材１を示す図である。
【００１２】
図に示したように、このベース部材１は、所定の長さを有し、底板部１１、該底板部１１の各側縁１１ａ，１１ｂから、上端縁１２ａ，１３ａ方向に向かうに従って互いに内方に傾斜するように、すなわち底板部１１となす内角が鋭角となるように対称的に立ち上げられた側板部１２，１３を有している。この側板部１２，１３は、さらに、上端縁１２ａ，１３ａ間に所定の間隙を保持するように立ち上げられている。すなわち、ベース部材１は、断面でみると底板部１１を底辺とする略三角形をなしているが、頂部付近が切り取られているような形状である。また、本実施の形態では、側板部１２，１３の上端縁１２ａ，１３ａは、長手方向に沿って膨出すると共に、プラスチックフィルムを傷つけないように断面円形に加工されている。
【００１３】
本実施の形態にかかるベース部材１は、さらに、各一端１４ａ，１５ａがそれぞれ前記各側板部１２，１３の内面の適宜位置に接合され、各他端１４ｂ，１５ｂがそれぞれ前記底板部１１の内面の適宜位置に接合され、長手方向に亘って設けられた２つのリブ１４，１５を有している。このリブ１４，１５は、側板部１２，１３の対向間隔の広がりを防止するためのものであり、具体的には、側板部１２，１３に対しては、その立ち上がり方向（傾斜方向）の中間当たりに一端１４ａ，１５ａが位置し、底板部１１に対しては、他端１４ｂ，１５ｂが両者間にある程度の隙間ができるような部位に位置するように設けられる。本実施の形態では、各側板部１２，１３における各一端１４ａ，１５ａが接合されているところまでの部位と、底板部１１の各側縁１１ａ，１１ｂから各他端１４ｂ，１５ｂが接合されているところまでの部位と、各リブ１４，１５とにより形成される形状が、図１及び図２に示したように、断面でほぼ正三角形を構成するような位置に設けられている。
【００１４】
また、リブ１４，１５の適宜位置には、側板部１２，１３の上端縁１２ａ，１３ａ方向に突出する突起部１４ｃ，１５ｃが設けられている。具体的には、側板部１２，１３の上端縁１２ａ，１３ａ間の間隙から装填される押さえ部材の種類にもよるが、該押さえ部材の底面がプラスチックフィルムを介して接することができるような位置に突設される。突起部１４ｃ，１５ｃは、このように、押さえ部材が挿入されることにより、プラスチックフィルムに接する部位であるため、プラスチックフィルムが傷つかないように、その表面は曲面状に形成されている。
【００１５】
ベース部材１は、金属材料、好ましくは軽量性の点からアルミニウム材料を用いて形成され、また、このベース部材１を構成する上記した底板部１１、各側板部１２，１３及びリブ１４，１５が押し出し成形等により一体成形されている。なお、成形方法は限定されるものではなく、例えば、リブ１４，１５を長板状の別部材で構成し、溶接により一体化することも可能である。
【００１６】
本実施の形態にかかるベース部材１は、例えば、温室の側面に沿って、底板部１１にネジを貫通させるなどして、固定配設される（図５参照）。ベース部材１を固定配設したならば、プラスチックフィルムを側板部１２，１３の上端縁１２ａ，１３ａ間の間隙から挿入し、さらに任意の押さえ部材、例えば、図３及び図４に示したように、断面略半円状の挿入部２１を備えた断面略「ひ」字型の押さえ部材２を装着する。
【００１７】
この状態で使用することにより、プラスチックフィルムが風等によってばたつくと、図４上、外向き矢印方向に張力が加わり、側板部１２，１３を押し広げようとするが、この際、本実施の形態によれば、上記したようにリブ１４，１５が設けられ、底板部１１にリブ１４，１５の他端１４ｂ，１５ｂが接合されているため、側板部１２，１３が押し広げられるようなことはほとんどない。
なお、本発明のベース部材１に装着される押さえ部材は、図３及び図４に示したものに限定されるものではないことはもちろんであり、側板部１２，１３の上端縁１２ａ，１３ａ間の間隙から挿入できるものである限り、どのような形状のものであってもよい。また、図４においては、一枚のプラスチックフィルムしか挟持していないが、図５及び図６に示したもののように、本発明のベース部材１を配設する箇所によっては、２枚のプラスチックフィルムの端片付近を挟持することももちろん可能である。
【００１８】
【発明の効果】
本発明のフィルム止め材のベース部材によれば、温室の被覆材であるプラスチックフィルムを、押さえ部材との間に挟んで固定し、該押さえ部材と共にフィルム止め材を構成するベース部材であって、底板部と、該底板部の両側縁から、上端縁方向に向かうに従って互いに内方に傾斜するように立ち上げられると共に、対向する上端縁間に所定の間隔を有し、該上端縁間の間隙を通じて前記押さえ部材が挿入されるように対称的に設けられた２つの側板部と、各一端がそれぞれ前記各側板部の内面に接合され、各他端がそれぞれ前記底板部の内面に接合されるように設けられた２つのリブとを具備する。従って、プラスチックフィルムが風等によりばたついてもベース部材の対向する側板部間の間隔が広がってしまうことはほとんどなく、押さえ部材が脱落し、プラスチックフィルムが外れることを防止できる。
【図面の簡単な説明】
【図１】図１は、本発明の一の実施の形態にかかるフィルム止め材を示す斜視図である。
【図２】図２は、同実施の形態にかかるフィルム止め材を示す端面図である。
【図３】図３は、ベース部材に押さえ部材を装着する状態を示す図である。
【図４】図４は、プラスチックフィルムを介してベース部材に押さえ部材を装着した状態を示す図である。
【図５】図５は、フィルム止め材を温室に配設する位置を説明するための図である。
【図６】図６は、従来のフィルム止め材を説明するための図である。
【符号の説明】
１  ベース部材
１１  底板部
１２  側板部
１３  側板部
１４  リブ
１５  リブ
２  押さえ部材
【図１】
0004079545.tif 000002
【図２】
0004079545.tif 000003
【図３】
0004079545.tif 000004
【図４】
0004079545.tif 000005
【図５】
0004079545.tif 000006
【図６】
0004079545.tif 000007